(57)【要約】  本開示は、端末を提供する。端末は、第１パートと、第２パートと、少なくとも２本の第１反転バンドと、少なくとも１本の第２反転バンドとを含む。第１反転バンドの第１端は、第１パートのスクリーンの長手方向の第１側辺に接続され、第１反転バンドの第２端は、第２パートのスクリーンの長手方向の第２側辺に接続される。第１反転バンドと間隔をあけて設けられた第２反転バンドの第１端は、第２パートのスクリーンの長手方向の第１側辺に接続され、第２反転バンドの第２端は、第１パートのスクリーンの長手方向の第２側辺に接続される。端末が平らに展開された状態では、第１パートのスクリーンと第２パートのスクリーンとが同一平面に位置し、第１反転バンドが第１パート又は第２パートの外面に貼着され、第２反転バンドが第２パート又は第１パートの外面に貼着される。【選択図】図３
2021529345.tif 000002
【特許請求の範囲】
【請求項１】
第１パートと、第２パートと、少なくとも２本の第１反転バンドと、少なくとも１本の第２反転バンドとを含む端末であって、
前記第１反転バンドの第１端は、前記第１パートのスクリーンの長手方向の第１側辺に接続され、前記第１反転バンドの第２端は、前記第２パートのスクリーンの長手方向の第２側辺に接続され、
前記第１反転バンドと間隔をあけて設けられた前記第２反転バンドの第１端は、前記第２パートのスクリーンの長手方向の第１側辺に接続され、前記第２反転バンドの第２端は、前記第１パートのスクリーンの長手方向の第２側辺に接続され、
前記端末が平らに展開された状態では、前記第１パートのスクリーンと第２パートのスクリーンとが同一平面に位置し、前記第１反転バンドが前記第１パート又は第２パートの外面に貼着され、前記第２反転バンドが前記第２パート又は第１パートの外面に貼着され、
ここで、前記外面は、前記第１パート又は第２パートにおける、対応するスクリーンに対向して設けられ、対応するスクリーンの長手方向の第１側辺と第２側辺とを接続する面である、端末。
【請求項２】
前記第１反転バンド及び第２反転バンドは、それぞれ、２枚の補強保護層と、前記２枚の補強保護層の間に設けられたフレキシブル回路基板層とを含む、請求項１に記載の端末。
【請求項３】
前記第１反転バンドの数は、２であり、前記第２反転バンドの数は、１であり、前記第２反転バンドは、２本の前記第１反転バンドの間に設けられ、２本の前記第１反転バンドの中心線から前記第２反転バンドの中心線までの距離が等しい、請求項１に記載の端末。
【請求項４】
前記第１反転バンドの第１端の幅と前記第２反転バンドの第１端の幅との和は、前記第１パートのスクリーンの長手方向の第１側辺の長さと等しく、前記第１パートのスクリーンの長手方向の第１辺の長さは、前記第２パートのスクリーンの長手方向の第１側辺の長さと等しく、
前記第１反転バンドの第２端の幅と前記第２反転バンドの第２端の幅との和は、前記第１パートのスクリーンの長手方向の第２側辺の長さと等しく、前記第１パートのスクリーンの長手方向の第２側辺の長さは、前記第２パートのスクリーンの長手方向の第２側辺の長さと等しい、請求項１又は３に記載の端末。
【請求項５】
前記第１パート及び第２パートの外面は、弧状面である、請求項１に記載の端末。
【請求項６】
前記第１パートの外面と前記第２パートの外面とは、形状が一致し、かつ、同じ平面長さである、請求項１に記載の端末。
【請求項７】
前記第１反転バンドの非固定部の長さは、前記第１パート又は第２パートの外面の平面長さと等しく、前記第２反転バンドの非固定部の長さは、前記第１パート又は第２パートの外面の平面長さと等しく、
ここで、前記第１反転バンドの非固定部とは、第１パートの第１側辺に接続された第１端及び第２パートの第２側辺に接続された第２端を除いた他の自由に動くことができる部分であり、
前記第２反転バンドの非固定部とは、第２パートの第１側辺に接続された第１端及び第１パートの第２側辺に接続された第２端を除いた他の自由に動くことができる部分である、請求項６に記載の端末。
【請求項８】
前記第１反転バンドの第１端は、前記第１パートのスクリーンと外面との間に嵌め込まれ、前記第１パートのスクリーンの長手方向の第１側辺に接続され、及び／又は、前記第１反転バンドの第２端は、前記第２パートのスクリーンと外面との間に嵌め込まれ、前記第２パートのスクリーンの長手方向の第２側辺に接続される、請求項１に記載の端末。
【請求項９】
前記第２反転バンドの第１端は、前記第２パートのスクリーンと外面との間に嵌め込まれ、前記第２パートのスクリーンの長手方向の第１側辺に接続され、及び／又は、前記第２反転バンドの第２端は、前記第１パートのスクリーンと外面との間に嵌め込まれ、前記第１パートのスクリーンの長手方向の第２側辺に接続される、請求項１に記載の端末。
【請求項１０】
前記フレキシブル回路基板層は、データを伝送するデータ線と、電力を伝送する電源線とを含む、請求項２に記載の端末。
【発明の詳細な説明】
【技術分野】
【０００１】
（関連出願の相互参照）
本願は、２０１８年６月２７日に中国特許庁に提出された中国特許出願２０１８１０６７８４２５．６の優先権を主張し、その全ての内容が援用によりここに取り込まれる。
本開示は、端末の技術分野に係り、特に一種の端末に係る。
【背景技術】
【０００２】
技術の発展に伴い、ユーザのニーズをより満たすために、折り畳み可能な機器が登場している。携帯電話を例にとると、従来技術の折り畳み機器は、図１及び図２に示すように、２つのパートの間に回転軸及びヒンジ体を追加して折り畳みスクリーンの折り返しを実現する構成となっている。
【０００３】
しかしながら、従来技術の折り畳み機器は、回転軸の設計があり、係合部の隙間が大きく、該係合部の隙間を小さくすることが難しいため、精緻性が良くない。また、占有スペースが大きく、機器全体の厚さを薄くすることが難しい。回転軸機構が複雑で製造難易度が高く、製品コストの増加を招く。また折り畳み機器の折り畳みや反転は、回転軸とヒンジに頼るしかなく、回転軸の位置のみで折り畳みや反転が可能であり、形態が単一であり、製品が類似する。
【発明の概要】
【発明が解決しようとする課題】
【０００４】
本開示の目的は、従来技術の折り畳み端末の精緻性が劣り、生産コストが高く、機器全体の厚さが大きく、折り畳みや反転の形態が単一であるという問題を解決するために、端末を提供することにある。
【課題を解決するための手段】
【０００５】
第１パートと、第２パートと、少なくとも２本の第１反転バンドと、少なくとも１本の第２反転バンドとを含む端末であって、
前記第１反転バンドの第１端は、前記第１パートのスクリーンの長手方向の第１側辺に接続され、前記第１反転バンドの第２端は、前記第２パートのスクリーンの長手方向の第２側辺に接続され、
前記第１反転バンドと間隔をあけて設けられた前記第２反転バンドの第１端は、前記第２パートのスクリーンの長手方向の第１側辺に接続され、前記第２反転バンドの第２端は、前記第１パートのスクリーンの長手方向の第２側辺に接続され、
前記端末が平らに展開された状態では、前記第１パートのスクリーンと第２パートのスクリーンとが同一平面に位置し、前記第１反転バンドが前記第１パート又は第２パートの外面に貼着され、前記第２反転バンドが前記第２パート又は第１パートの外面に貼着され、
ここで、前記外面は、前記第１パート又は第２パートにおける、対応するスクリーンに対向して設けられ、対応するスクリーンの長手方向の第１側辺と第２側辺とを接続する面である。
【発明の効果】
【０００６】
本開示の実施例において、第１反転バンドと第２反転バンドとを用いて第１パートと第２パートとを接続することにより、分割型の無軸で左右に折り返し可能な折り畳みスクリーンの端末を実現する。無軸で折り返すという折り畳み設計により折り畳みの展開を実現し、製造難易度を低減し、生産コストを節減する。折り返し状態の係合隙間が減少し、製品の精緻性を向上させることができる。また、厚みや幅スペースを占有するような回転軸がないため、機器全体の厚みを薄くすることができる。左右両側への折り畳みや反転を可能にし、折り畳みや反転の自由度が制限されず、形態の変化が多様であり、製品の外観色が折り返し方向によって２色に切り替え可能である。平らに展開されると、２つのスクリーン（２つのパートのスクリーン）が平面状の大スクリーンに接合され、完全に折り畳まれると、２つのパートが緊密に係着する。２つのスクリーンは、向かうように重なることで確実に保護され、落ちて割れたりかすり傷になったりしない。また、２つのスクリーンは、１つの平面状の大スクリーンに接合されて使用されてもよく、個々にそのうちの一方のみが使用されてもよい。折り畳みや反転の状態がいずれも一体化外観効果であり、外側へ突出する余分な形状がない。従来技術における折り畳み端末の精緻性が劣り、生産コストが高く、機器全体の厚さが大きく、折り畳みや反転の形態が単一であるという問題を解決する。
【図面の簡単な説明】
【０００７】
【図１】従来技術における折り畳み端末の構造模式図その１である。
【図２】従来技術における折り畳み端末の構造模式図その２である。
【図３】本開示の実施例による端末の構造模式図である。
【図４】本開示の実施例による第１反転バンド又は第２反転バンドの構造模式図である。
【図５】本開示の実施例による端末の折り畳み状態の模式図である。
【図６】本開示の実施例による端末の平らに展開された状態の模式図である。
【図７】本開示の実施例による端末の右側から展開する状態の模式図である。
【図８】本開示の実施例による端末の左側から展開する状態の模式図である。
【図９】本開示の実施例による端末の左側から右側に反転する模式図である。
【発明を実施するための形態】
【０００８】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をせずに為しえる全ての実施例は、本開示の保護範囲に属するものである。
【０００９】
本開示は、従来技術における折り畳み端末の精緻性が劣り、生産コストが高く、機器全体の厚さが大きく、折り畳みや反転の形態が単一であるという問題に対し、図３〜図９に示すように、第１パート１と、第２パート２と、少なくとも２本の第１反転バンド３と、少なくとも１本の第２反転バンド４とを含む端末を提供する。ここで、前記第１反転バンド３の第１端５は、前記第１パート１のスクリーンの長手方向の第１側辺に接続され、前記第１反転バンド３の第２端６は、前記第２パート２のスクリーンの長手方向の第２側辺に接続される。前記第１反転バンド３と間隔をあけて設けられた前記第２反転バンド４の第１端７は、前記第２パート２のスクリーンの長手方向の第１側辺に接続され、前記第２反転バンド４の第２端８は、前記第１パート１のスクリーンの長手方向の第２側辺に接続される。前記端末が平らに展開された状態では、前記第１パート１のスクリーン９と第２パート２のスクリーン１０とが同一平面に位置し、前記第１反転バンド３が前記第１パート１又は第２パート２の外面に貼着され、前記第２反転バンド４が前記第２パート２又は第１パート１の外面に貼着される。ここで、前記外面は、前記第１パート１又は第２パート２における、対応するスクリーンに対向して設けられ、対応するスクリーンの長手方向の第１側辺と第２側辺とを接続する面である（第１パートの外面は、第１パートにおける、第１パートのスクリーンに対向して設けられ、第１パートのスクリーンの長手方向の第１側辺と第２側辺とを接続する面であり、第２パートの外面は、第２パートにおける、第２パートのスクリーンに対向して設けられ、第２パートのスクリーンの長手方向の第１側辺と第２側辺とを接続する面である。）。
【００１０】
本開示の実施例による前記端末は、第１反転バンドと第２反転バンドとを用いて第１パートと第２パートとを接続することにより、分割型の無軸で左右に折り返し可能な折り畳みスクリーンの端末を実現する。無軸で折り返すという折り畳み設計により折り畳みや展開を実現し、製造難易度を低減し、生産コストを節減する。折り返し状態の係合隙間が減少し、製品の精緻性を向上させることができる。また、厚みや幅スペースを占有するような回転軸がないため、機器全体の厚みを薄くすることができる。左右両側への折り畳みや反転を可能にし、折り畳みや反転の自由度が制限されず、形態の変化が多様であり、製品の外観色が折り返し方向によって２色に切り替え可能である。平らに展開されると、２つのスクリーン（２つのパートのスクリーン）が平面状の大スクリーンに接合され、完全に折り畳まれると、２つのパートが緊密に係着する。２つのスクリーンは、向かうように重なることで確実に保護され、落ちて割れたりかすり傷になったりしない。また、２つのスクリーンは、１つの平面状の大スクリーンに接合されて使用されてもよく、個々にそのうちの一方のみが使用されてもよい。折り畳みや反転の状態がいずれも一体化外観効果であり、外側へ突出する余分な形状がない。従来技術における折り畳み端末の精緻性が劣り、生産コストが高く、機器全体の厚さが大きく、折り畳みや反転の形態が単一であるという問題を確実に解決している。
【００１１】
ここで、前記端末が閉じた状態では、前記第１パートのスクリーンと第２パートのスクリーンとが隣接して平行に設けられ、前記第１反転バンドが前記第１パート又は第２パートの外面に貼着され、前記第２反転バンドが前記第２パート又は第１パート１の外面に貼着される。
【００１２】
図３及び図４に示すように、前記第１反転バンド３及び第２反転バンド４は、それぞれ、２枚の補強保護層１１と、前記２枚の補強保護層１１間に設けられたフレキシブル回路基板層１２とを含む。ここで、前記フレキシブル回路基板層は、データを伝送するデータ線と、電力を伝送する電源線とを含む。
【００１３】
これにより、パートの反転を実現しつつ、電力やデータの伝送を実現することを保証できる。
【００１４】
本開示の実施例において、図３に示すように、前記第１反転バンド３の数は、２であり、前記第２反転バンド４の数は、１であり、前記第２反転バンド４は、２つの前記第１反転バンド３の間に設けられ、２つの前記第１反転バンド３の中心線から前記第２反転バンド４の中心線までの距離が等しい。
【００１５】
これにより、パートの反転を実現しつつ、可能な限り省エネで（可能な限り少ない反転バンドで）パートの反転が順調に実現されることを保証できる。
【００１６】
図３に示すように、前記第１反転バンド３の第１端部５の幅と前記第２反転バンド４の第１端部７の幅との和は、前記第１パート１のスクリーン９の長手方向の第１側辺の長さと等しく、前記第１パート１のスクリーン９の長手方向の第１側辺の長さは、前記第２パート２のスクリーン１０の長手方向の第１側辺の長さと等しく、前記第１反転バンド３の第２端６の幅と前記第２反転バンド４の第２端８の幅との和は、前記第１パート１のスクリーン９の長手方向の第２側辺の長さと等しく、前記第１パート１のスクリーン９の長手方向の第２側辺の長さは、前記第２パート２のスクリーン１０の長手方向の第２側辺の長さと等しい。
【００１７】
これにより、反転バンドの強度をある程度保証し（反転バンドの幅をできるだけ大きくすることにより）、長寿命化を図ることができる。
【００１８】
図３に示すように、前記第１パート１及び第２パート２の外面は、弧状面となっている。
【００１９】
これにより、パートの反転、及び反転バンドとパートとの密着をより一層容易に行うことができ、使用上の安全性を保証することができる。
【００２０】
図３に示すように、前記第１パート１の外面と前記第２パート２の外面とは、形状が一致しており、且つ、同じ平面長さである。
【００２１】
これにより、反転バンドの設計がより容易となり、同様の反転バンドを採用すればよい。
【００２２】
図３に示すように、前記第１反転バンド３の非固定部１３の長さは、前記第１パート１又は第２パート２の外面の平面長さと等しく、前記第２反転バンド４の非固定部１４の長さは、前記第１パート１又は第２パート２の外面の平面長さと等しい。ここで、前記第１反転バンド３の非固定部１３とは、第１パート１の第１側辺に接続された第１端５及び第２パート２の第２側辺に接続された第２端６を除いた他の自由に動くことができる部分であり、前記第２反転バンド４の非固定部１４とは、第２パート２の第１側辺に接続された第１端７及び第１パート１の第２側辺に接続された第２端８を除いた他の自由に動くことができる部分である
【００２３】
これにより、パートが充分に反転することを保証することができ、反転バンドの長さ不足によってパートが所定位置まで反転できないことを防止することができる。
【００２４】
図３に示すように、前記第１反転バンド３の第１端５は、前記第１パート１のスクリーン９と外面との間に嵌め込まれ、前記第１パート１のスクリーンの長手方向の第１側辺に接続され、及び／又は、前記第１反転バンド３の第２端６は、前記第２パート２のスクリーン１０と外面との間に嵌め込まれ、前記第２パート２のスクリーン１０の長手方向の第２側辺に接続される。
【００２５】
これにより、第１反転バンドが使用中に第１パート又は第２パートから接続不良によって外れないように、第１反転バンドの接続強度を保証することができる。
【００２６】
図３に示すように、前記第２反転バンド４の第１端７は、前記第２パート２のスクリーン１０と外面との間に嵌め込まれ、前記第２パート２のスクリーンの長手方向の第１側辺に接続され、及び／又は、前記第２反転バンド４の第２端８は、前記第１パート１のスクリーン９と外面との間に嵌め込まれ、前記第１パート１のスクリーン９の長手方向の第２側辺に接続される。
【００２７】
これにより、第１反転バンドが使用中に第１パート又は第２パートから接続不良によって外れないように、第２反転バンドの接続強度を保証することができる。
【００２８】
以下、本開示の実施例による端末を更に説明し、２本の第１反転バンド、１本の第２反転バンド、第１パート及び第２パートの外面が共に弧状面である場合を例にとる。
【００２９】
上記の技術的課題に対し、本開示は、端末を提供し、分割型の無軸で左右に折り返し可能な折り畳みスクリーンの電子機器の設計形態を実現する。無軸で折り返すという折り畳み設計により折り畳みや展開を実現し、製造難易度を低減する。折り返し状態の係合隙間が減少し、製品の精緻性を向上させることができる。また、厚みや幅スペースを占有するような回転軸がないため、機器全体の厚みを薄くすることができる。左右両側への折り畳みや反転を可能にし、折り畳みや反転の自由度が制限されない。形態の変化が多様であり、製品の外観色が折り返し方向によって２色に切り替え可能である。平らに展開されると、２つのスクリーンが平面状の大スクリーンに接合され、完全に折り畳まれると、２つのパートが緊密に係着する。２つのスクリーンは、向かうように重なることで確実に保護され、落ちて割れたりかすり傷になったりしない。また、２つのスクリーンは、１つの平面状の大スクリーンに接合されて使用されてもよく、個々にそのうちの一方のみが使用されてもよい。折り畳みや反転の状態がいずれも一体化外観効果であり、外側へ突出する余分な形状がない。
【００３０】
具体的には図３〜図９に示すように、両パートの間には、フレキシブル回路基板ＦＰＣ（Ｆｌｅｘｉｂｌｅ  Ｐｒｉｎｔｅｄ  Ｃｉｒｃｕｉｔ）層１２とＦＰＣ層の表裏両面に設けられた補強保護層１１とからなる反転バンド（第１反転バンド３及び第２反転バンド４）が接続される。反転バンドの両端は、両パートの２つのカバーの背面の縁に固定され、即ち、両側のものは、上部カバーの下辺及び下部カバーの上辺の両辺部に固定され、中間のものは、上部カバーの上辺中央部及び下部カバーの下辺中央部とに固定され（前記第１反転バンド３の第１端５は、前記第１パート１のスクリーンの長手方向の第１側辺に接続され、前記第１反転バンド３の第２端６は、前記第２パート２のスクリーンの長手方向の第２側辺に接続され、前記第１反転バンド３と間隔をあけて設けられた前記第２反転バンド４の第１端７は、前記第２パート２のスクリーンの長手方向の第１側辺に接続され、前記第２反転バンド４の第２端８は、前記第１パート１のスクリーンの長手方向の第２側辺に接続される）、両面に反転可能である。
【００３１】
反転バンドの長さは、パートの外観面の平面長さに関係しており、実際の製品では緊密に結ばれて引き離されない。図３は、このような３つの反転バンドを引き延ばす場合を示す模式図である。反転バンドは、それぞれのパートの表面に貼着して転動や反転に追従して、２つのスクリーンの展開や畳み込みを実現する。無軸の反転バンドは、薄くて占有する幅スペースが小さく、平らに展開した際に２つのスクリーンの接合隙間が小さく、外観上の精緻化が大きく向上する。
【００３２】
すなわち、２つのパートが反転バンドと接続されて一体式折り畳み機器を形成する。反転バンドは、ＦＰＣ層と２枚の補強保護層を有する。ここで、ＦＰＣ層は、データ及び電源を伝送し、両パート間の相互作用を実現する。反転バンドの両端は、図３に示すように、第１パート１と第２パート２の異なる側辺にそれぞれ固定される。ここで、反転バンドは、パートの長辺の幅を３等分してもよい（すなわち、第１反転バンドの幅と第２反転バンドの幅とが等しく、３本の反転バンドの幅の和がパートの側辺の長さと等しい）が、３等分することに限定されない。
【００３３】
本開示の実施例における第１パート１及び第２パート２は、いずれも反転自在であり、反転時に、反転バンドが各パートの外観面に密着される（前記第１反転バンド３は、前記第１パート１又は第２パート２の外面に貼着し、前記第２反転バンド４は、前記第２パート２又は第１パート１の外面に貼着する）。両パートの外観面の運動軌跡は、パートの外観面の外形線であり、外形線は、円形に限定されない。
【００３４】
両パートの反転運動時に、パートの外観面が反転バンドに密着し同期に運動し、反転バンドが一方のパートの内側辺と他方のパートの外側辺に固定される（前記第１反転バンド３の第１端５は、前記第１パート１のスクリーンの長手方向の第１側辺に接続され、前記第１反転バンド３の第２端６は、前記第２パート２のスクリーンの長手方向の第２側辺に接続され、前記第１反転バンド３と間隔をあけて設けられた前記第２反転バンド４の第１端７は、前記第２パート２のスクリーンの長手方向の第１側辺に接続され、前記第２反転バンド４の第２端８は、前記第１パート１のスクリーンの長手方向の第２側辺に接続される）ため、運動時に両側の反転バンド（第１反転バンド３）と中間の反転バンド（第２反転バンド４）は、逆方向に運動し、両パートの外観面に貼着し、両パートを離れずに締め付ける。
【００３５】
本開示の実施例において、反転バンドは、両パートのデータや電源を伝送する機能、パートを結合する機能、パートの反転案内機能を有し、第１反転バンドと第２反転バンドに異なる色を用いることができ、１つの機器に２通りの外観色を有することを実現する。
【００３６】
ここで、反転バンドの長さは、パートの外観面の平面長さに関係し、反転バンドを逆方向に結合することによって、図７及び図８に示すように、端末が折り畳み状態から展開する際に、左右に制限なく展開することができる。
【００３７】
以上、図面を参照して本開示の実施例を記載したが、本開示は、上記の具体的な実施形態に限定されない。上記の具体的な実施形態は、単に例示的なものであり、制限的なものではない。本開示からヒントを受け、当業者が本開示の趣旨や特許請求の保護範囲を逸脱することなく為しえる多くの形態は、いずれも本開示の保護に属するものである。
【図１】
2021529345.tif 000003
【図２】
2021529345.tif 000004
【図３】
2021529345.tif 000005
【図４】
2021529345.tif 000006
【図５】
2021529345.tif 000007
【図６】
2021529345.tif 000008
【図７】
2021529345.tif 000009
【図８】
2021529345.tif 000010
【図９】
2021529345.tif 000011
【手続補正書】
【提出日】令和3年1月8日(2021.1.8)
【手続補正１】
【補正対象書類名】明細書
【補正対象項目名】００２７
【補正方法】変更
【補正の内容】
【００２７】
これにより、第２反転バンドが使用中に第１パート又は第２パートから接続不良によって外れないように、第２反転バンドの接続強度を保証することができる。
【国際調査報告】
2021529345.tif 000012
2021529345.tif 000013
2021529345.tif 000014
2021529345.tif 000015